(57)【要約】  蓄電装置は、負極電極と正極電極とをセパレータを介して交互に積層してなる電極組立体と、電極組立体を収容するケース本体と、ケース本体の開口部を閉塞する蓋部材と、を備える。正極電極の底側端縁及び側端縁は、負極電極の底側端縁及び側端縁よりも内側に位置している。ケース本体の側壁の内面とケース本体の底壁の内底面との交差部にはアール状の隅部が形成されている。電極組立体の底面とケース本体の内底面との間には隙間が存在し、その隙間の深さ方向の寸法は、隅部の半径の１〜１．５倍である。
2018159266.tif 000002
【特許請求の範囲】
【請求項１】
負極活物質層を有する複数の負極電極と、正極活物質層を有する複数の正極電極をセパレータを介して交互に積層し、積層方向から見て前記負極活物質層の領域内に配置され、かつ前記正極活物質層の全面が前記負極活物質層に対向する電極組立体と、
前記電極組立体を収容するケース本体と、
前記ケース本体の開口部を閉塞する蓋部材と、を備え、
前記電極組立体は、前記負極電極の底側端縁及び前記セパレータの底側端縁により構成され、かつ前記ケース本体の内底面に対向する底面と、前記負極電極の側端縁及び前記セパレータの側端縁により構成され、かつ前記底面及び積層方向両端の偏平面に繋がる一対の側面と、を有し、前記正極電極の底側端縁及び前記側端縁は、前記負極電極の底側端縁及び側端縁よりも積層方向から見て内側に位置しており、
前記ケース本体は、前記電極組立体の底面に対向し、かつ前記内底面を構成する底壁と、前記側面に対向する側壁と、を有し、
前記側壁の内面と前記底壁の内底面との交差部に、前記電極組立体の積層方向から見てアール状の隅部を有している蓄電装置であって、
前記ケース本体の前記内底面に直交する直線の延びる方向を深さ方向とすると、
前記電極組立体の底面と前記ケース本体の内底面とが前記深さ方向に離間した隙間を前記ケース本体内に有し、
前記深さ方向への前記隙間の寸法は、前記隅部の半径の１〜１．５倍であることを特徴とする蓄電装置。
【請求項２】
前記セパレータは前記正極電極を収納した袋状セパレータである請求項１に記載の蓄電装置。
【請求項３】
負極活物質層を有する複数の負極電極と、正極活物質層を有する複数の正極電極をセパレータを介して交互に積層し、積層方向から見て前記負極活物質層の領域内に配置され、かつ前記正極活物質層の全面が前記負極活物質層に対向する電極組立体と、
前記電極組立体を収容するケース本体と、
前記ケース本体の開口部を閉塞する蓋部材と、を備え、
前記電極組立体は、前記負極電極の底側端縁及び前記セパレータの底側端縁により構成され、かつ前記ケース本体の内底面に対向する底面と、前記負極電極の側端縁及び前記セパレータの側端縁により構成され、かつ前記底面及び積層方向両端の偏平面に繋がる一対の側面と、を有し、前記正極電極の底側端縁及び前記側端縁は、前記負極電極の底側端縁及び側端縁よりも積層方向から見て内側に位置しており、
前記ケース本体は、前記電極組立体の底面に対向し、かつ前記内底面を構成する底壁と、前記側面に対向する側壁と、を有し、
前記側壁の内面と前記底壁の内底面との交差部に、前記電極組立体の積層方向から見てアール状の隅部を有している蓄電装置であって、
前記ケース本体の前記内底面に直交する直線の延びる方向を深さ方向とすると、
前記電極組立体の底面と前記ケース本体の内底面とが前記深さ方向に離間した隙間を前記ケース本体内に有し、
前記セパレータは、前記正極電極の底側端縁及び側端縁から当該セパレータの面方向に沿ってはみ出した余剰部を備え、
前記深さ方向への前記隅部の寸法を隅部寸法とし、前記深さ方向への前記余剰部の寸法を余剰部寸法とすると、
余剰部寸法＜隅部寸法、及び、
隙間の寸法≧隅部寸法−余剰部寸法
が成立している蓄電装置。
【請求項４】
前記セパレータは前記正極電極を収納した袋状セパレータであり、前記底側端縁からはみ出した前記余剰部は、前記正極電極を挟んで対峙する一対のセパレータ部材において前記正極電極の端縁からはみ出した部分のうち、溶着できる部位を前記深さ方向の全体に亘って溶着して形成されている請求項３に記載の蓄電装置。
【請求項５】
前記電極組立体は、前記正極電極の一つの端縁から突出した形状の正極タブが複数積層された正極のタブ群、及び前記負極電極の一つの端縁から突出した形状の負極タブが複数積層された負極のタブ群を有し、前記蓄電装置は、前記蓋部材に固定された各極性の電極端子と、同じ極性のタブ群及び前記電極端子と接合された各極性の導電部材とが一体化された蓋端子組立体を有するとともに、前記蓋端子組立体と前記電極組立体とが、同じ極性の前記導電部材と前記タブ群を接合して一体化されており、前記深さ方向への前記蓋部材の外面から前記電極組立体の底面までの寸法が最小値となる状態で前記蓋部材と前記ケース本体とが接合されている請求項３又は請求項４に記載の蓄電装置。
【請求項６】
前記正極のタブ群及び前記負極のタブ群それぞれは、前記深さ方向に沿って互いに近付く状態に折り曲げられている請求項５に記載の蓄電装置。
【請求項７】
前記余剰部寸法は０．５〜２ｍｍであり、前記隅部寸法は１〜２ｍｍであり、前記隙間の寸法は、０より大きく５ｍｍ以下である請求項３〜請求項６のうちいずれか一項に記載の蓄電装置。
【請求項８】
前記蓄電装置は二次電池である請求項１〜請求項７のうちいずれか一項に記載の蓄電装置。
【請求項９】
負極活物質層を有する複数の負極電極と、正極活物質層を有する複数の正極電極をセパレータを介して交互に積層し、積層方向から見て前記負極活物質層の領域内に配置され、かつ前記正極活物質層の全面が前記負極活物質層に対向する電極組立体と、
前記電極組立体を収容するケース本体と、
前記ケース本体の開口部を閉塞する蓋部材と、を備え、
前記電極組立体は、前記負極電極の底側端縁及び前記セパレータの底側端縁により構成され、かつ前記ケース本体の内底面に対向する底面と、前記負極電極の側端縁及び前記セパレータの側端縁により構成され、かつ前記底面及び積層方向両端の偏平面に繋がる一対の側面と、を有し、前記正極電極の底側端縁及び前記側端縁は、前記負極電極の底側端縁及び側端縁よりも積層方向から見て内側に位置しており、
前記ケース本体は、前記電極組立体の底面に対向し、かつ前記内底面を構成する底壁と、前記側面に対向する側壁と、を有し、
前記側壁の内面と前記底壁の内底面との交差部に、前記電極組立体の積層方向から見てアール状の隅部を有している蓄電装置の製造方法であって、
前記ケース本体の前記内底面に直交する直線の延びる方向を深さ方向とすると、
前記電極組立体の底面と前記ケース本体の内底面とが、前記隅部の半径の１〜１．５倍の寸法で前記深さ方向に離間した状態で配置されるように、前記電極組立体を前記底面側から前記ケース本体に圧入することを特徴とする蓄電装置の製造方法。
【請求項１０】
負極活物質層を有する複数の負極電極と、正極活物質層を有する複数の正極電極をセパレータを介して交互に積層し、積層方向から見て前記負極活物質層の領域内に配置され、かつ前記正極活物質層の全面が前記負極活物質層に対向するとともに、前記正極電極の一端縁から突出した形状の正極タブ同士が積層された正極のタブ群、及び前記負極電極の一端縁から突出した形状の負極タブ同士が積層された負極のタブ群を有し電極組立体と、
前記電極組立体を収容するケース本体と、
前記ケース本体の開口部を閉塞する蓋部材と、
前記蓋部材に固定された各極性の電極端子と、
同じ極性のタブ群及び前記電極端子と接合された各極性の導電部材と、を備え、
前記電極組立体は、前記負極電極の底側端縁及び前記セパレータの底側端縁により構成され、かつ前記ケース本体の内底面に対向する底面と、前記負極電極の側端縁及び前記セパレータの側端縁により構成され、かつ前記底面及び積層方向両端の偏平面に繋がる一対の側面と、を有し、前記正極電極の底側端縁及び前記側端縁は、前記負極電極の底側端縁及び側端縁よりも積層方向から見て内側に位置しており、
前記ケース本体は、前記電極組立体の底面に対向し、かつ前記内底面を構成する底壁と、前記側面に対向する側壁と、を有し、
前記側壁の内面と前記底壁の内底面との交差部に、前記電極組立体の積層方向から見てアール状の隅部を有している蓄電装置の製造方法であって、
前記ケース本体の前記内底面に直交する直線の延びる方向を深さ方向とすると、
前記蓄電装置は、前記電極組立体の底面と前記ケース本体の内底面とが前記深さ方向に離間した隙間を前記ケース本体内に有し、
前記セパレータは、前記正極電極の底側端縁及び側端縁から当該セパレータの面方向に沿ってはみ出した余剰部を備え、
前記深さ方向への前記隅部の寸法を隅部寸法とし、前記深さ方向への前記余剰部の寸法を余剰部寸法とすると、
前記蓋部材と、両極性の前記電極端子と、両極性の前記導電部材とが一体化された蓋端子組立体を製造し、
前記導電部材と前記タブ群とを同じ極性同士で接合して前記蓋端子組立体と前記電極組立体とを一体化し、前記深さ方向に力を加えても、前記深さ方向への前記蓋部材の外面から前記電極組立体の前記底面までの寸法が最小値で変位しない状態で前記電極組立体を前記ケース本体に圧入し、
余剰部寸法＜隅部寸法、及び、隙間の寸法≧隅部寸法−余剰部寸法、が成立するまで前記電極組立体を前記ケース本体に圧入することを特徴とする蓄電装置の製造方法。
【発明の詳細な説明】
【技術分野】
【０００１】
本発明は、ケース本体の一対の側壁の内面と底壁の内底面との交差部に、アール状の隅部を有している蓄電装置及び蓄電装置の製造方法に関する。
【背景技術】
【０００２】
ＥＶ（Electric Vehicle）やＰＨＶ（Plug in Hybrid Vehicle）などの車両には、原動機となる電動機への供給電力を蓄える蓄電装置としてリチウムイオン電池などの二次電池が搭載されている。例えば、特許文献１に記載の二次電池は、活物質層を有する矩形シート状の正極電極と負極電極とがセパレータを間に挟んだ状態で積層された電極組立体と、電極組立体を収容するケースと、を有する。ケースは、電極組立体を収容するための開口部を有するケース本体と、ケース本体の開口部を閉塞する蓋と、を有する。
【先行技術文献】
【特許文献】
【０００３】
【特許文献１】特開平９−１２０８３６号公報
【発明の概要】
【発明が解決しようとする課題】
【０００４】
ところで、二次電池のケース本体及び蓋には耐久性に優れるアルミニウム製等の金属製ケースが多用されている。このようなケース本体では、製造上、内底面の各辺に沿う部分にアール状の隅部の発生が避けられない。また、正極電極、負極電極及びセパレータは、製造上、四隅に平面視直角の角部を備えており、電極組立体を積層方向に見て底側の両端部は直角の角部となっている。このため、二次電池では、電極組立体の積層方向に見て、ケース本体の隅部におけるアール状の部分に正極電極や負極電極の角部が接触し、正極活物質層と負極活物質層の対向部から活物質が脱落して電池性能の低下を招くという問題がある。【０００５】
本発明の目的は、電極組立体の角部とケースの隅部との接触を抑制し、性能低下を抑制できる蓄電装置及び蓄電装置の製造方法を提供することにある。
【課題を解決するための手段】
【０００６】
上記問題点を解決するための蓄電装置は、負極活物質層を有する複数の負極電極と、正極活物質層を有する複数の正極電極をセパレータを介して交互に積層し、積層方向から見て前記負極活物質層の領域内に配置され、かつ前記正極活物質層の全面が前記負極活物質層に対向する電極組立体と、前記電極組立体を収容するケース本体と、前記ケース本体の開口部を閉塞する蓋部材と、を備え、前記電極組立体は、前記負極電極の底側端縁及び前記セパレータの底側端縁により構成され、かつ前記ケース本体の内底面に対向する底面と、前記負極電極の側端縁及び前記セパレータの側端縁により構成され、かつ前記底面及び積層方向両端の偏平面に繋がる一対の側面と、を有し、前記正極電極の底側端縁及び前記側端縁は、前記負極電極の底側端縁及び側端縁よりも積層方向から見て内側に位置しており、前記ケース本体は、前記電極組立体の底面に対向し、かつ前記内底面を構成する底壁と、前記側面に対向する側壁と、を有し、前記側壁の内面と前記底壁の内底面との交差部に、前記電極組立体の積層方向から見てアール状の隅部を有している蓄電装置であって、前記ケース本体の前記内底面に直交する直線の延びる方向を深さ方向とすると、前記電極組立体の底面と前記ケース本体の内底面とが前記深さ方向に離間した隙間を前記ケース本体内に有し、前記深さ方向への前記隙間の寸法は、前記隅部の半径の１〜１．５倍であることを要旨とする。【０００７】
上記問題点を解決するための蓄電装置の製造方法は、負極活物質層を有する複数の負極電極と、正極活物質層を有する複数の正極電極をセパレータを介して交互に積層し、積層方向から見て前記負極活物質層の領域内に配置され、かつ前記正極活物質層の全面が前記負極活物質層に対向する電極組立体と、前記電極組立体を収容するケース本体と、前記ケース本体の開口部を閉塞する蓋部材と、を備え、前記電極組立体は、前記負極電極の底側端縁及び前記セパレータの底側端縁により構成され、かつ前記ケース本体の内底面に対向する底面と、前記負極電極の側端縁及び前記セパレータの側端縁により構成され、かつ前記底面及び積層方向両端の偏平面に繋がる一対の側面と、を有し、前記正極電極の底側端縁及び前記側端縁は、前記負極電極の底側端縁及び側端縁よりも積層方向から見て内側に位置しており、前記ケース本体は、前記電極組立体の底面に対向し、かつ前記内底面を構成する底壁と、前記側面に対向する側壁と、を有し、前記側壁の内面と前記底壁の内底面との交差部に、前記電極組立体の積層方向から見てアール状の隅部を有している蓄電装置の製造方法であって、前記ケース本体の前記内底面に直交する直線の延びる方向を深さ方向とすると、前記電極組立体の底面と前記ケース本体の内底面とが、前記隅部の半径の１〜１．５倍の寸法で前記深さ方向に離間した状態で配置されるように、前記電極組立体を前記底面側から前記ケース本体に圧入することを要旨とする。【０００８】
これによれば、電極組立体の積層方向に見て、負極電極は底側端縁と側端縁との交差部に角部を有し、セパレータは底側端縁と側端縁との交差部に角部を有する。そして、隙間の寸法が隅部の半径の１倍となるように隙間が確保されていると、設計上は、電極組立体の底面は、側壁の内面と隅部との境界に位置する。このため、負極電極及びセパレータの角部が、隅部のアール状の部分に位置することはなく、負極活物質層からの活物質の脱落はない。【０００９】
ただし、積層ずれや製造公差を原因として、負極電極及びセパレータの角部が隅部のアール状の部分に位置する可能性がある。しかし、セパレータにおいては角部がアール状の部分に接触して撓むだけである。負極電極については、負極活物質層のうち正極活物質層に対向しない部分がアール状の部分に位置する。このため、負極活物質層において、正極活物質層との対向部からは活物質が脱落せず、蓄電装置の性能低下はない。【００１０】
また、隙間の寸法が隅部の半径の１．５倍となるように隙間が確保されていると、設計上は、負極電極及びセパレータの角部が隅部のアール状の部分より離れて位置し、負極活物質層からの活物質の脱落はない。また、積層ずれや製造公差があっても、負極電極及びセパレータの角部が隅部のアール状の部分に到達することはない。したがって、隙間の寸法が隅部の半径の１〜１．５倍となるように隙間が確保されていることにより、負極活物質層において、正極活物質層との対向部から活物質が脱落することを防止でき、性能低下がない。【００１１】
また、蓄電装置について、前記セパレータは前記正極電極を収納した袋状セパレータである。
これによれば、正極電極の角部が隅部に位置することがない。【００１２】
上記問題点を解決するための蓄電装置は、負極活物質層を有する複数の負極電極と、正極活物質層を有する複数の正極電極をセパレータを介して交互に積層し、積層方向から見て前記負極活物質層の領域内に配置され、かつ前記正極活物質層の全面が前記負極活物質層に対向する電極組立体と、前記電極組立体を収容するケース本体と、前記ケース本体の開口部を閉塞する蓋部材と、を備え、前記電極組立体は、前記負極電極の底側端縁及び前記セパレータの底側端縁により構成され、かつ前記ケース本体の内底面に対向する底面と、前記負極電極の側端縁及び前記セパレータの側端縁により構成され、かつ前記底面及び積層方向両端の偏平面に繋がる一対の側面と、を有し、前記正極電極の底側端縁及び前記側端縁は、前記負極電極の底側端縁及び側端縁よりも積層方向から見て内側に位置しており、前記ケース本体は、前記電極組立体の底面に対向し、かつ前記内底面を構成する底壁と、前記側面に対向する側壁と、を有し、前記側壁の内面と前記底壁の内底面との交差部に、前記電極組立体の積層方向から見てアール状の隅部を有している蓄電装置であって、前記ケース本体の前記内底面に直交する直線の延びる方向を深さ方向とすると、前記電極組立体の底面と前記ケース本体の内底面とが前記深さ方向に離間した隙間を前記ケース本体内に有し、前記セパレータは、前記正極電極の底側端縁及び側端縁から当該セパレータの面方向に沿ってはみ出した余剰部を備え、前記深さ方向への前記隅部の寸法を隅部寸法とし、前記深さ方向への前記余剰部の寸法を余剰部寸法とすると、余剰部寸法＜隅部寸法、及び、隙間の寸法≧隅部寸法−余剰部寸法が成立していることを要旨とする。【００１３】
上記問題点を解決するための蓄電装置の製造方法は、負極活物質層を有する複数の負極電極と、正極活物質層を有する複数の正極電極をセパレータを介して交互に積層し、積層方向から見て前記負極活物質層の領域内に配置され、かつ前記正極活物質層の全面が前記負極活物質層に対向するとともに、前記正極電極の一端縁から突出した形状の正極タブ同士が積層された正極のタブ群、及び前記負極電極の一端縁から突出した形状の負極タブ同士が積層された負極のタブ群を有し電極組立体と、前記電極組立体を収容するケース本体と、前記ケース本体の開口部を閉塞する蓋部材と、前記蓋部材に固定された各極性の電極端子と、同じ極性のタブ群及び前記電極端子と接合された各極性の導電部材と、を備え、前記電極組立体は、前記負極電極の底側端縁及び前記セパレータの底側端縁により構成され、かつ前記ケース本体の内底面に対向する底面と、前記負極電極の側端縁及び前記セパレータの側端縁により構成され、かつ前記底面及び積層方向両端の偏平面に繋がる一対の側面と、を有し、前記正極電極の底側端縁及び前記側端縁は、前記負極電極の底側端縁及び側端縁よりも積層方向から見て内側に位置しており、前記ケース本体は、前記電極組立体の底面に対向し、かつ前記内底面を構成する底壁と、前記側面に対向する側壁と、を有し、前記側壁の内面と前記底壁の内底面との交差部に、前記電極組立体の積層方向から見てアール状の隅部を有している蓄電装置の製造方法であって、前記ケース本体の前記内底面に直交する直線の延びる方向を深さ方向とすると、前記蓄電装置は、前記電極組立体の底面と前記ケース本体の内底面とが前記深さ方向に離間した隙間を前記ケース本体内に有し、前記セパレータは、前記正極電極の底側端縁及び側端縁から当該セパレータの面方向に沿ってはみ出した余剰部を備え、前記深さ方向への前記隅部の寸法を隅部寸法とし、前記深さ方向への前記余剰部の寸法を余剰部寸法とすると、前記蓋部材と、両極性の前記電極端子と、両極性の前記導電部材とが一体化された蓋端子組立体を製造し、前記導電部材と前記タブ群とを同じ極性同士で接合して前記蓋端子組立体と前記電極組立体とを一体化し、前記深さ方向に力を加えても、前記深さ方向への前記蓋部材の外面から前記電極組立体の前記底面までの寸法が最小値で変位しない状態で前記電極組立体を前記ケース本体に圧入し、余剰部寸法＜隅部寸法、及び、隙間の寸法≧隅部寸法−余剰部寸法が成立するまで前記電極組立体を前記ケース本体に圧入することを要旨とする。【００１４】
これによれば、電極組立体の積層方向に見て、負極電極は底側端縁と側端縁との交差部に角部を有し、セパレータは底側端縁と側端縁との交差部に角部を有する。負極電極については、負極活物質層のうち正極活物質層に対向しない部分がアール状の部分に位置しても、負極活物質層において、正極活物質層との対向部からは活物質が脱落せず、蓄電装置の性能低下はない。また、電極組立体の底面とケース本体の内底面との間に隙間が確保されている。このため、正極電極をケース本体の内底面から離間させ、正極電極がケース本体の内底面に接触することを抑制できる。このため、正極活物質層からの活物質の脱落を抑制でき、蓄電装置の性能低下はない。【００１５】
ただし、積層ずれや製造公差を原因として、セパレータの余剰部にある角部が、隅部のアール状の部分に位置する可能性がある。しかし、余剰部寸法＜隅部寸法、及び、隙間の寸法≧隅部寸法−余剰部寸法を成立させることで、余剰部が、深さ方向の全体に亘って隅部に接触したとしても、ケース本体内には隙間が確保される。その結果、セパレータをケース本体の内底面から浮かすことができ、正極電極がケース本体の内底面に接触することを抑制できる。その結果として、正極活物質層からの活物質の脱落を抑制でき、蓄電装置の性能低下はない。【００１６】
また、蓄電装置について、前記セパレータは前記正極電極を収納した袋状セパレータであり、前記底側端縁からはみ出した前記余剰部は、前記正極電極を挟んで対峙する一対のセパレータ部材において前記正極電極の端縁からはみ出した部分のうち、溶着できる部位を前記深さ方向の全体に亘って溶着して形成されていてもよい。【００１７】
これによれば、溶着される面積を多くして余剰部の剛性を高めることができる。その結果、余剰部が隅部のアール状の部分に干渉しても、余剰部を介して正極電極を保護できる。【００１８】
また、蓄電装置について、前記電極組立体は、前記正極電極の一つの端縁から突出した形状の正極タブが複数積層された正極のタブ群、及び前記負極電極の一つの端縁から突出した形状の負極タブが複数積層された負極のタブ群を有し、前記蓄電装置は、前記蓋部材に固定された各極性の電極端子と、同じ極性のタブ群及び前記電極端子と接合された各極性の導電部材とが一体化された蓋端子組立体を有するとともに、前記蓋端子組立体と前記電極組立体とが、同じ極性の前記導電部材と前記タブ群を接合して一体化されており、前記深さ方向への前記蓋部材の外面から前記電極組立体の底面までの寸法が最小値となる状態で前記蓋部材と前記ケース本体とが接合されていてもよい。【００１９】
これによれば、ケース内では、電極組立体と蓋端子組立体が一体化され、一つの剛体となっているため、ケース内に隙間が形成された状態を維持できる。
また、蓄電装置について、前記正極のタブ群及び前記負極のタブ群それぞれは、前記深さ方向に沿って互いに近付く状態に折り曲げられていてもよい。【００２０】
これによれば、電極組立体をケース本体に圧入する際、各極性のタブ群がそれ以上折り曲げられない状態とし、深さ方向への蓋部材の外面から電極組立体の底面までの寸法が最小値となるようにする。このようにすれば、タブ群の変位をなくし、隙間を確保できる。【００２１】
また、蓄電装置について、前記余剰部寸法は０．５〜２ｍｍであり、前記隅部寸法は１〜２ｍｍであり、前記隙間の寸法は、０より大きく５ｍｍ以下であるのが好ましい。
前記蓄電装置は二次電池である。
【発明の効果】
【００２２】
本発明によれば、電極組立体の角部とケースの隅部との接触を抑制し、性能低下を抑制できる。
【図面の簡単な説明】
【００２３】
【図１】実施形態の二次電池を示す分解斜視図。
【図２】電極組立体の構成要素を示す分解斜視図。
【図３】第１の実施形態の二次電池内を示す断面図。
【図４】第１の実施形態において、（ａ）は隙間の寸法が半径ｒの１倍のときの第１の隅部を示す拡大図、（ｂ）は公差等を原因として角部が第１の隅部に到達した状態を示す拡大図。
【図５】第２の隅部を示す拡大図。
【図６】電極組立体をケース本体内に圧入する状態を示す図。
【図７】（ａ）は絶縁部材によって覆われた電極組立体をケース本体内に圧入した状態を示す図、（ｂ）は角部が第１の隅部に到達した状態を示す拡大図。
【発明を実施するための形態】
【００２４】
（第１の実施形態）
以下、蓄電装置及びその製造方法を二次電池及びその製造方法に具体化した第１の実施形態を図１〜図６にしたがって説明する。
【００２５】
図１に示すように、蓄電装置としての二次電池１０は、直方体状のケース１１を備え、このケース１１内には電極組立体２３が収容されている。ケース１１は、有底の直方体状のケース本体１２と、矩形平板状の蓋部材１３とを有し、蓋部材１３とケース本体１２はレーザ溶接によって溶接される。ケース本体１２は、矩形状の底壁１２ａと、底壁１２ａの対向する一対の短側縁から立設された側壁としての短側壁１２ｂと、底壁１２ａの対向する一対の長側縁から立設された長側壁１２ｃとを備える。なお、ケース１１の内底面１２ｅは、ケース本体１２の底壁１２ａによって構成されている。以下、内底面１２ｅに直交する直線の延びる方向をケース１１の深さ方向とする。ケース本体１２は、電極組立体２３を挿入するための開口部１２ｄを備える。ケース本体１２と蓋部材１３は、何れも金属製（例えば、ステンレスやアルミニウム）であり、蓋部材１３は開口部１２ｄを閉塞する。ケース本体１２の内面は全体に亘って絶縁部材Ｚによって覆われている。
【００２６】
図４又は図５に示すように、ケース本体１２は、両短側壁１２ｂの内面と、底壁１２ａの内底面１２ｅとの交差部にアール状の第１の隅部Ｒ１を有する。詳しくは、第１の隅部Ｒ１は、短側壁１２ｂにおける平坦面状に延びる部分と底壁１２ａにおける平坦面状に延びる部分との間に位置するアール状に延びる部分である。なお、短側壁１２ｂにおける平坦面状な内面と、第１の隅部Ｒ１の内面との境界を境界Ｋとする。また、ケース本体１２は、両長側壁１２ｃの内面と、底壁１２ａの内底面との交差部にアール状の第２の隅部Ｒ２を有する。詳しくは、第２の隅部Ｒ２は、長側壁１２ｃにおける平坦面状に延びる部分と底壁１２ａにおける平坦面状に延びる部分との間に位置するアール状に延びる部分である。長側壁１２ｃにおける平坦面状な内面と、第２の隅部Ｒ２の内面との境界を境界Ｋとする。
【００２７】
図１に示すように、二次電池１０は、その外観が角型をなす角型電池であり、リチウムイオン電池である。
図２に示すように、電極組立体２３は、正極電極１４をセパレータとしての袋状セパレータ２１に収納した複数の電極収納セパレータ２０と、複数の負極電極２４とを有する。電極組立体２３は、複数の電極収納セパレータ２０と複数の負極電極２４とを交互に積み重ねた積層構造を有する。電極収納セパレータ２０及び負極電極２４が積み重なる方向を積層方向とする。複数の正極電極１４と複数の負極電極２４とは、電極収納セパレータ２０の袋状セパレータ２１を間に挟んだ状態で交互に積層されている。本実施形態では、正極電極１４、袋状セパレータ２１、及び負極電極２４は、積層方向から見て何れも長方形状である。
【００２８】
正極電極１４は、集電体としての矩形シート状の正極金属箔（例えばアルミニウム箔）１５と、正極金属箔１５の両面に正極活物質層１６と、を有する。正極電極１４は、積層方向から見て、一対の長辺に沿う端縁のうちの一方の端縁にタブ側端縁１４ａを有する。正極電極１４は、正極電極１４の一つの端縁としてのタブ側端縁１４ａから突出した形状の正極タブ１７を有する。正極タブ１７は、正極金属箔１５において正極活物質層１６が塗工されず、正極金属箔１５そのもので構成された部分である。正極電極１４は、積層方向から見て、タブ側端縁１４ａの対辺となる端縁に底側端縁１４ｂを有し、タブ側端縁１４ａと底側端縁１４ｂ同士を繋ぐ一対の端縁にそれぞれ側端縁１４ｃを有する。正極電極１４は、積層方向から見て、底側端縁１４ｂと、各側端縁１４ｃとが交差して形成された角部１４ｆを備え、角部１４ｆは積層方向から見て直角である。
【００２９】
負極電極２４は、集電体としての矩形シート状の負極金属箔（例えば銅箔）２５と、負極金属箔２５の両面に負極活物質を含む負極活物質層２６と、を有する。負極電極２４は、一対の長辺に沿う端縁のうちの一方の端縁にタブ側端縁２４ａを有する。負極電極２４は、負極電極２４の一つの端縁としてのタブ側端縁２４ａから突出した形状の負極タブ２７を有する。負極タブ２７は、負極金属箔２５において負極活物質層２６が塗工されず、負極金属箔２５そのもので構成された部分である。負極電極２４は、タブ側端縁２４ａの対辺となる端縁に底側端縁２４ｂを有し、タブ側端縁２４ａと底側端縁２４ｂ同士を繋ぐ一対の短辺に沿う端縁にそれぞれ側端縁２４ｃを有する。負極電極２４は、積層方向から見て、底側端縁２４ｂと、各側端縁２４ｃとが交差して形成された角部２４ｆを備え、角部２４ｆは積層方向から見て直角である。
【００３０】
負極電極２４及び正極電極１４を積層方向から見て、負極電極２４のタブ側端縁２４ａの長さは、正極電極１４のタブ側端縁１４ａの長さより長く、負極電極２４の底側端縁２４ｂの長さは、正極電極１４の底側端縁１４ｂの長さより長い。さらに、負極電極２４の側端縁２４ｃの長さは、正極電極１４の側端縁１４ｃの長さより長い。よって、積層方向から見て負極電極２４は、正極電極１４より一回り大きい。電極組立体２３において、正極電極１４の四つの端縁は、負極電極２４の四つの端縁より内側に位置している。具体的には、電極組立体２３を積層方向から見て、正極電極１４の底側端縁１４ｂ及び側端縁１４ｃは、負極電極２４の底側端縁２４ｂ及び側端縁２４ｃよりも内側に位置している。このため、電極組立体２３を積層方向から見て、正極活物質層１６は負極活物質層２６の領域内に配置され、かつ正極活物質層１６の全面が負極活物質層２６に対向している。
【００３１】
袋状セパレータ２１は、互いに対峙する矩形シート状の一対のセパレータ部材２２を含む。各セパレータ部材２２は、何れも絶縁性を有する樹脂製（例えばポリエチレン製）である。袋状セパレータ２１は、正極電極１４のタブ側端縁１４ａに平行なタブ側端縁２１ａを有する。袋状セパレータ２１は、タブ側端縁２１ａの対辺となる端縁に、正極電極１４の底側端縁１４ｂに平行な底側端縁２１ｂを有する。また、袋状セパレータ２１は、タブ側端縁２１ａと底側端縁２１ｂ同士を繋ぐ一対の端縁にそれぞれ側端縁２１ｃを有し、各側端縁２１ｃは、正極電極１４の側端縁１４ｃに平行である。袋状セパレータ２１は、積層方向から見て底側端縁２１ｂと、各側端縁２１ｃとが交差して形成された角部２１ｆを備え、角部２１ｆは積層方向から見て直角である。
【００３２】
袋状セパレータ２１は、正極電極１４のタブ側端縁１４ａ、底側端縁１４ｂ及び一対の側端縁１４ｃから、正極電極１４の面方向に沿ってはみ出す余剰部２２ａを有する。余剰部２２ａは、正極電極１４を取り囲む四角環状である。余剰部２２ａは、正極電極１４を挟んで対峙するセパレータ部材２２において、正極電極１４からはみ出した部分同士を溶着して形成されている。余剰部２２ａのうち、底側端縁１４ｂからはみ出した余剰部２２ａは、一対のセパレータ部材２２において、底側端縁１４ｂからはみ出した部分のうち、互いに溶着できる部分を深さ方向全体に亘って溶着して形成されている。
【００３３】
図１に示すように、電極収納セパレータ２０と、負極電極２４とは、正極タブ１７が積層方向に沿って列状に配置され、且つ正極タブ１７と重ならない位置にて負極タブ２７が積層方向に沿って列状に配置されるように積層される。積層方向への電極組立体２３の寸法を厚みＤとする。なお、ケース本体１２において、対向する長側壁１２ｃの内面同士を最短距離で結ぶ直線の長さをケース本体１２の開口幅Ｗとすると、ケース本体１２に収容される前の電極組立体２３の厚みＤは、開口幅Ｗより若干厚い。このため、電極組立体２３は、ケース本体１２に圧入されている。
【００３４】
図５に示すように、電極組立体２３において、袋状セパレータ２１の底側端縁２１ｂと負極電極２４の底側端縁２４ｂとは面一となるように揃っており、電極組立体２３は、これら底側端縁２１ｂ，２４ｂにより構成された底面３７を有する。また、電極組立体２３において、袋状セパレータ２１のタブ側端縁２１ａは、負極電極２４のタブ側端縁２４ａより蓋部材１３寄りに位置し、電極組立体２３は、タブ側端縁２１ａより構成されたタブ側端面３６を有する。
【００３５】
図１に示すように、タブ側端面３６では、各正極タブ１７及び各負極タブ２７は、電極組立体２３における積層方向の一端から他端までの範囲内で集められた（束ねられた）状態で折り曲げられ、タブ群１８とされている。各極性のタブ群１８は、深さ方向に沿って互いに近付くように二条に折り曲げられている。各極性のタブ群１８は、可撓性を有する正極タブ１７又は負極タブ２７を積層して構成されているため、各タブ群１８は可撓性を有する。ただし、ケース１１内において二条に折り曲げられた状態では、各極性のタブ群１８は深さ方向に最大限に縮まるまで折り曲げられており、それ以上の変形ができない状態であり、可撓性を失った状態にある。
【００３６】
図１又は図３に示すように、電極組立体２３は、袋状セパレータ２１の側端縁２１ｃ、及び負極電極２４の側端縁２４ｃにより構成された一対の側面３８を有する。一対の側面３８は、電極組立体２３において、底面３７に繋がる面のうち、積層方向両端の偏平面４４に直交する（交差する）２つの面である。
【００３７】
各正極タブ１７が重なっている箇所を溶接することによって各正極タブ１７が電気的に接続されるとともに、正極タブ１７からなるタブ群１８に正極導電部材６１が接続されている。電極組立体２３を積層方向に見て正極導電部材６１はクランク状である。正極導電部材６１は、正極タブ１７からなるタブ群１８に接合されたタブ側接続部６１ａと、タブ側接続部６１ａよりも電極組立体２３のタブ側端面３６寄りの端子接続部６１ｂと、タブ側接続部６１ａと端子接続部６１ｂを繋ぐ連結部６１ｃとを備える。端子接続部６１ｂには、電極組立体２３から電気を取り出すための正極端子５１が接続されている。
【００３８】
同様に、各負極タブ２７が重なっている箇所を溶接することによって各負極タブ２７が電気的に接続されるとともに、負極タブ２７からなるタブ群１８に負極導電部材６２が接続されている。電極組立体２３を積層方向に見て負極導電部材６２はクランク状である。負極導電部材６２は、負極タブ２７からなるタブ群１８に接合されたタブ側接続部６２ａと、タブ側接続部６２ａよりも電極組立体２３のタブ側端面３６寄りの端子接続部６２ｂと、タブ側接続部６２ａと端子接続部６２ｂを繋ぐ連結部６２ｃとを備える。端子接続部６２ｂには、電極組立体２３から電気を取り出すための負極端子５２が接続されている。
【００３９】
ここで、二次電池１０の製造方法について説明する。
まず、上述した電極組立体２３を製造する。次に、正極導電部材６１の端子接続部６１ｂに正極端子５１を溶接する。また、負極導電部材６２の端子接続部６２ｂに負極端子５２を溶接する。次に、正極端子５１の雄ねじと負極端子５２の雄ねじを蓋部材１３を貫通させ、正極の雄ねじにナット５１ａを螺合し、負極の雄ねじにナット５２ａを螺合する。すると、蓋部材１３に正極端子５１及び負極端子５２が締結される。その結果、蓋部材１３と、正極端子５１と、負極端子５２と、正極導電部材６１と、負極導電部材６２とが一体化されて蓋端子組立体５３が構成される。
【００４０】
次に、正極のタブ群１８を正極導電部材６１のタブ側接続部６１ａに溶接し、負極のタブ群１８を負極導電部材６２のタブ側接続部６２ａに溶接する。すると、蓋端子組立体５３と電極組立体２３とが正極のタブ群１８及び負極のタブ群１８を介して一体化される。
【００４１】
次に、図６に示すように、蓋端子組立体５３の蓋部材１３を所定の力で電極組立体２３に向けて押し込み、電極組立体２３をケース本体１２に圧入する。このとき、蓋部材１３を電極組立体２３に向けて押し込むと、折り曲げられる前の各タブ群１８は、それぞれ可撓性を有することから、深さ方向に圧縮され、折り曲げられる。そして、両方のタブ群１８が、深さ方向に最大限に縮まるまで折り曲げられると、タブ群１８は可撓性を失った状態となり、蓋端子組立体５３と電極組立体２３とが一つの剛体となる。このときの深さ方向への蓋部材１３の外面から電極組立体２３の底面３７までの寸法Ｔは、最小値となる。なお、蓋端子組立体５３を押し込む「所定の力」とは、ケース本体１２に電極組立体２３を圧入するのに必要な力である。そして、所定の力を加えても、寸法Ｔが最小値のままの状態とは、蓋端子組立体５３と電極組立体２３とが一つの剛体となった状態として捉えることができる。
【００４２】
そして、ケース本体１２内への電極組立体２３の圧入が完了すると、蓋部材１３とケース本体１２とを接合してケース本体１２の開口部１２ｄを閉塞すると、二次電池１０の組立が完了する。なお、図６では、ケース本体１２の内面は絶縁部材Ｚによって覆われている。
【００４３】
図３又は図４（ａ）に示すように、二次電池１０において、電極組立体２３の底面３７と、絶縁部材Ｚを介したケース本体１２の内底面１２ｅとは、深さ方向に離間し、底面３７とケース１１におけるケース本体１２の内底面１２ｅとの間に隙間３９が存在する。二次電池１０を積層方向に見て、電極組立体２３の底面３７は、深さ方向における第１の隅部Ｒ１の境界Ｋに位置しており、袋状セパレータ２１の角部２１ｆ及び負極電極２４の角部２４ｆは第１の隅部Ｒ１のアール状の部分に位置していない。
【００４４】
深さ方向への隙間３９の寸法Ｆは、第１の隅部Ｒ１の半径ｒの１〜１．５倍である。隙間３９の寸法Ｆが第１の隅部Ｒ１の半径ｒの１倍未満の場合は、袋状セパレータ２１の角部２１ｆ及び負極電極２４の角部２４ｆは、第１の隅部Ｒ１のアール状の部分に接触した状態にあり、第１の隅部Ｒ１によって各角部２１ｆ，２４ｆが変形する虞があり、好ましくない。
【００４５】
隙間３９の寸法Ｆが第１の隅部Ｒ１の半径ｒの１．５倍を越えた場合は、図４（ａ）の２点鎖線に示すように、電極組立体２３の底面３７が境界Ｋより蓋部材１３に近付いた状態であり、電極組立体２３の容積が小さくなってしまい、電池容量が低下して好ましくない。よって、隙間３９の寸法Ｆは、第１の隅部Ｒ１の半径ｒの１〜１．５倍に設定されている。
【００４６】
なお、袋状セパレータ２１と負極電極２４を積み重ねる工程時、袋状セパレータ２１の底側端縁２１ｂと負極電極２４の底側端縁２４ｂとがずれる積層ずれが生じる場合がある。また、袋状セパレータ２１及び負極電極２４について、側端縁２１ｃ，２４ｃの寸法に公差が存在する。電極組立体２３においては、積層ずれや、袋状セパレータ２１及び負極電極２４の製造公差を考慮して公差が設定されている。
【００４７】
図４（ｂ）に示すように、袋状セパレータ２１の積層ずれや製造公差により、深さ方向への電極組立体２３の寸法が公差最大になった場合は、隙間３９の寸法Ｆが第１の隅部Ｒ１の半径ｒの１倍であると、第１の隅部Ｒ１のアール状の部分に袋状セパレータ２１の余剰部２２ａが接触する。しかし、第１の隅部Ｒ１のアール状の部分に接触するのは余剰部２２ａまでであって、正極電極１４の角部１４ｆは第１の隅部Ｒ１よりも蓋部材１３寄りにあり、第１の隅部Ｒ１のアール状部分には接触しない。
【００４８】
また、負極電極２４の積層ずれや製造公差により、深さ方向への電極組立体２３の寸法が公差最大になった場合は、隙間３９の寸法Ｆが第１の隅部Ｒ１の半径ｒの１倍であると、第１の隅部Ｒ１のアール状の部分に負極電極２４の角部２４ｆが接触する。しかし、負極活物質層２６が損傷を受けたとしても、正極活物質層１６の角部１４ｆは第１の隅部Ｒ１のアール状の部分に接触しない。このため、正極活物質層１６と負極活物質層２６との対向部には影響がない。
【００４９】
また、隙間３９の寸法Ｆが、第１の隅部Ｒ１の半径ｒの１．５倍であると、深さ方向への電極組立体２３の寸法が公差最大になっても、角部２１ｆ，２４ｆは、短側壁１２ｂにおける第１の隅部Ｒ１との境界Ｋにあり、第１の隅部Ｒ１のアール状の部分に接触しない。
【００５０】
上記隙間３９の寸法Ｆを確保するため、本実施形態では、蓋端子組立体５３と電極組立体２３とを一体化した状態において、図６に示すように、深さ方向における、蓋部材１３の内面から電極組立体２３の底面３７までの寸法である高さＨ１又は蓋部材１３の外面から電極組立体２３の底面３７までの寸法Ｔを調整する。この高さＨ１は、正極タブ１７及び負極タブ２７が曲げられた状態で設定される。
【００５１】
次に、二次電池１０の作用を記載する。
図６に示すように、蓋端子組立体５３と一体化された電極組立体２３をケース本体１２の開口部１２ｄからケース本体１２内に挿入する際、電極組立体２３の厚みＤは、開口幅Ｗより若干厚いことから、電極組立体２３はケース本体１２内へ圧入される。よって、電極組立体２３は、ケース本体１２内に落下することはない。その一方で、電極組立体２３をケース本体１２に圧入する必要があるため、蓋端子組立体５３の蓋部材１３を所定の力で電極組立体２３に向けて押し込む。
【００５２】
蓋端子組立体５３を押す力は、正極タブ１７及び負極タブ２７を介して電極組立体２３に伝わる。各端子接続部６１ｂ，６２ｂによって、電極組立体２３のタブ側端面３６に露出した袋状セパレータ２１のタブ側端縁２１ａが押圧される。そして、電極組立体２３の底面３７側を画像検査し、隙間３９の寸法Ｆを確認しながら、電極組立体２３を圧入する。すなわち、第１の隅部Ｒ１の半径ｒの１〜１．５倍の寸法で、電極組立体２３の底面３７が内底面１２ｅから深さ方向に離間した状態で配置されるように、電極組立体２３をケース本体１２に圧入する。すると、電極組立体２３の底面３７が、第１の隅部Ｒ１に到達する前、又は第１の隅部Ｒ１の境界Ｋに位置し、隙間３９が確保された状態で、電極組立体２３がケース本体１２に収容される。その後、ケース本体１２内への電極組立体２３の収容が完了すると、蓋部材１３とケース本体１２とを接合してケース本体１２の開口部１２ｄを閉塞すると、二次電池１０の組立が完了する。
【００５３】
上記第１の実施形態によれば、以下のような効果を得ることができる。
（１−１）深さ方向への隙間３９の寸法Ｆを、第１の隅部Ｒ１の半径ｒの１〜１．５倍に設定した。このため、設計上は、電極組立体２３の底面３７が第１の隅部Ｒ１のアール状の部分に到達することがなく、第１の隅部Ｒ１のアール状の部分によって袋状セパレータ２１の角部２１ｆが折れ曲がったり、負極電極２４の角部２４ｆが損傷し、活物質が脱落することがない。
【００５４】
また、電極組立体２３の製造時、袋状セパレータ２１や負極電極２４の積層ずれが発生したり、負極電極２４の製造公差によって、袋状セパレータ２１の底側端縁２１ｂや負極電極２４の底側端縁２４ｂがケース本体１２の底壁１２ａ寄りに位置する場合がある。この場合であっても、隙間３９の寸法Ｆが第１の隅部Ｒ１の半径ｒの１．５倍に設定してあれば、袋状セパレータ２１の角部２１ｆや負極電極２４の角部２４ｆが第１の隅部Ｒ１のアール状の部分に位置することはない。また、隙間３９の寸法Ｆが第１の隅部Ｒ１の半径ｒの１倍に設定した場合は、袋状セパレータ２１や負極電極２４の積層ずれが発生したり、負極電極２４の製造公差によって、袋状セパレータ２１の角部２１ｆや負極電極２４の角部２４ｆが第１の隅部Ｒ１のアール状の部分に位置する可能性がある。この場合であっても、負極活物質層２６は損傷しても、負極活物質層２６における正極活物質層１６との対向部までは損傷しないため、電池性能に影響はない。
【００５５】
（１−２）正極電極１４は袋状セパレータ２１に収納されている。袋状セパレータ２１によって正極電極１４の角部１４ｆが第１の隅部Ｒ１のアール状の部分に接触することを防止でき、正極活物質層１６と負極活物質層２６との対向部に影響はない。
【００５６】
（１−３）深さ方向への隙間３９の寸法Ｆの上限値を、第１の隅部Ｒ１の半径ｒの１．５倍に設定し、電極組立体２３の底面３７が底壁１２ａから離れすぎないようにした。このため、二次電池１０の検査において、電極組立体２３の底面３７側の状態を画像検査した際、底面３７を画像に映り込ませることができ、画像検査に支障を来さない。
【００５７】
（第２の実施形態）
以下、蓄電装置及びその製造方法を二次電池及びその製造方法に具体化した第２の実施形態を図７にしたがって説明する。なお、第２の実施形態は、第１の実施形態と同様の部分についてはその詳細な説明を省略する。
【００５８】
図７（ａ）に示すように、電極組立体２３の底面３７、側面３８、及び偏平面４４は、絶縁部材Ｚによって覆われている。
電極収納セパレータ２０において、余剰部２２ａのうち、正極電極１４の底側端縁１４ｂからはみ出した余剰部２２ａについて、深さ方向への寸法を余剰部寸法Ｓ１とする。また、第１の隅部Ｒ１において、深さ方向への寸法を隅部寸法Ｓ２とする。第１の隅部Ｒ１の隅部寸法Ｓ２は、深さ方向に沿った境界Ｋから内底面１２ｅまでの寸法である。また、深さ方向への隙間３９の寸法を寸法Ｆと記載する。
【００５９】
第２の実施形態では、隙間３９の寸法Ｆは、０ｍｍより大きく、５ｍｍ以下である。隙間３９の寸法Ｆが５ｍｍより大きくなると、電極組立体２３の底面３７が境界Ｋより蓋部材１３に近付いた状態であり、電極組立体２３の容積が小さくなってしまい、電池容量が低下して好ましくない。よって、隙間３９の寸法Ｆは、３ｍｍ以下が好ましく、１ｍｍ以下がより好ましい。袋状セパレータ２１において、余剰部寸法Ｓ１は、０．５〜２ｍｍが好ましい。また、第１の隅部Ｒ１の隅部寸法Ｓ２は、１〜２ｍｍが好ましい。絶縁部材Ｚを介して、電極組立体２３の底面３７が境界Ｋに位置した状態では、隙間３９の寸法Ｆは、１〜２ｍｍとなる。
【００６０】
そして、第２の実施形態では、以下の式１及び式２が成立している。
余剰部寸法Ｓ１＜隅部寸法Ｓ２…式１
隙間の寸法Ｆ≧隅部寸法Ｓ２−余剰部寸法Ｓ１…式２
第２の実施形態の二次電池１０を製造するには、まず、第１の実施形態と同様に、電極組立体２３及び蓋端子組立体５３を製造するとともに、電極組立体２３と蓋端子組立体５３を一体化する。電極組立体２３は、絶縁部材Ｚによって覆われている。そして、蓋部材１３を所定の力で電極組立体２３に向けて押し込み、電極組立体２３をケース本体１２に圧入する。
【００６１】
電極組立体２３の底面３７側を画像検査し、隙間３９の寸法Ｆを確認しながら、電極組立体２３を圧入する。そして、式１及び式２が成立する状態で、電極組立体２３の底面３７が内底面１２ｅから深さ方向に離間した状態で配置されるように、電極組立体２３をケース本体１２に圧入する。ケース本体１２内への電極組立体２３の圧入が完了すると、蓋部材１３とケース本体１２とを接合してケース本体１２の開口部１２ｄを閉塞すると、二次電池１０の組立が完了する。
【００６２】
上記第２の実施形態によれば、以下のような効果を得ることができる。
（２−１）電極組立体２３の底面３７と、ケース本体１２の内底面１２ｅとの間に、隙間３９を確保した。このため、袋状セパレータ２１をケース本体１２の底壁１２ａから浮かすことができ、袋状セパレータ２１に収納された正極電極１４が底壁１２ａの内底面１２ｅに接触することを抑制できる。その結果として、正極電極１４の正極活物質層１６からの活物質の脱落を抑制でき、二次電池１０の性能低下はない。負極電極２４については、負極活物質層２６のうち正極活物質層１６に対向しない部分が第１の隅部Ｒ１に位置しても、負極活物質層２６において、正極活物質層１６との対向部からは活物質が脱落せず、二次電池１０の性能低下はない。
【００６３】
（２−２）図７（ｂ）に示すように、袋状セパレータ２１の積層ずれや製造公差により、深さ方向への電極組立体２３の寸法が公差最大になった場合は、第１の隅部Ｒ１のアール状の部分に袋状セパレータ２１の角部２１ｆが接触する。そして、袋状セパレータ２１の余剰部２２ａが、深さ方向の全体に亘って第１の隅部Ｒ１に接触したとしても、第１の隅部Ｒ１の隅部寸法Ｓ２が、余剰部２２ａの余剰部寸法Ｓ１より長いことから、深さ方向において、余剰部２２ａ（電極組立体２３の底面３７）と、ケース本体１２の内底面１２ｅとの間には隙間３９が確保される。その結果、袋状セパレータ２１をケース本体１２の底壁１２ａから浮かすことができ、袋状セパレータ２１に収納された正極電極１４が底壁１２ａの内底面１２ｅに接触することを抑制できる。その結果として、正極電極１４の正極活物質層１６からの活物質の脱落を抑制でき、二次電池１０の性能低下はない。
【００６４】
（２−３）袋状セパレータ２１の余剰部２２ａは、一対のセパレータ部材２２において、底側端縁１４ｂからはみ出した部分のうち、互いに溶着できる部分を深さ方向全体に亘って溶着して形成されている。このため、溶着される面積を多くして余剰部２２ａの剛性を高めることができる。その結果、余剰部２２ａが第１の隅部Ｒ１に干渉しても、余剰部２２ａを介して正極電極１４を保護できる。
【００６５】
（２−４）各極性のタブ群１８は、それぞれ二条に折り曲げられた形状である。このため、電極組立体２３をケース本体１２内に圧入する際、タブ群１８の変位によって、電極組立体２３の底面３７が第１の隅部Ｒ１のアール状の部分に干渉したり、隙間３９ができなくなる虞がある。しかし、電極組立体２３をケース本体１２内に圧入する際、各極性のタブ群１８がそれ以上折り曲げられない状態とし、深さ方向への蓋部材１３の外面から電極組立体２３の底面３７までの寸法Ｔが最小値、又は蓋部材１３の内面から電極組立体２３の底面３７までの高さＨ１が最小値となるようにした。このため、ケース本体１２の内底面１２ｅとの間に隙間３９を確保できる。
【００６６】
（２−５）各極性のタブ群１８は、深さ方向に圧縮され、それ以上の折り曲げが規制された状態にある。このようなタブ群１８を備えた状態では、深さ方向への蓋部材１３の外面から電極組立体２３の底面３７までの寸法Ｔ又は蓋部材１３の内面から電極組立体２３の底面３７までの高さＨ１は、最小値となる。この状態で蓋端子組立体５３と電極組立体２３をケース本体１２内に押し込むとき、式１及び式２を成立させると、第１の隅部Ｒ１に袋状セパレータ２１の角部２１ｆが干渉しても、電極組立体２３の底面３７とケース本体１２の内底面１２ｅとの間に隙間３９を形成できる。
【００６７】
なお、上記実施形態は以下のように変更してもよい。
○  第１の実施形態においても、余剰部２２ａの深さ方向への寸法を余剰部寸法Ｓ１とするとともに、第１の隅部Ｒ１の深さ方向への寸法を隅部寸法Ｓ２とし、式１及び式２が成立するようにしてもよい。
【００６８】
○  第１の実施形態において、隙間３９の寸法Ｆは、０ｍｍより大きく、５ｍｍ以下であり、３ｍｍ以下が好ましく、１ｍｍ以下がより好ましいとしてもよい。また、第１の実施形態において、余剰部２２ａの余剰部寸法Ｓ１を、０．５〜２ｍｍが好ましいとし、第１の隅部Ｒ１の隅部寸法Ｓ２を、１〜２ｍｍが好ましいとしてもよい。
【００６９】
○  各実施形態では、正極活物質層１６を負極活物質層２６より小さくしたが、これに限らない。電極組立体２３を積層方向から見て、正極活物質層１６が負極活物質層２６の領域内に配置され、かつ正極活物質層１６の全面が負極活物質層２６に対向しているのであれば、正極活物質層１６は負極活物質層２６と同じ大きさであってもよい。
【００７０】
○  各実施形態の電極組立体２３において、正極電極１４と負極電極２４との絶縁は袋状セパレータ２１ではなく、正極電極１４と負極電極２４の間に１枚ずつ介在するシート状のセパレータであってもよい。この場合、余剰部２２ａは、各セパレータにおいて、正極電極１４のタブ側端縁１４ａ、底側端縁１４ｂ及び一対の側端縁１４ｃから、正極電極１４の面方向に沿ってはみ出す部分によって形成される。
【００７１】
○  各実施形態において、負極電極２４は、負極金属箔２５の両面に負極活物質層２６を有するとしたが、負極金属箔２５の片面のみに負極活物質層２６を有していてもよい。同様に、正極電極１４は、正極金属箔１５の両面に正極活物質層１６を有するとしたが、正極金属箔１５の片面のみに正極活物質層１６を有していてもよい。
【００７２】
○  蓄電装置は、二次電池１０でなく、電気二重層キャパシタ等の他の蓄電装置に適用してもよい。
○  二次電池１０は、リチウムイオン二次電池であったが、これに限らず、他の二次電池であってもよい。要するに、正極活物質と負極活物質との間をイオンが移動するとともに電荷の授受を行うものであればよい。
【００７３】
次に、上記実施形態及び別例から把握できる技術的思想について以下に追記する。
（１）前記積層方向への前記電極組立体の寸法は、前記積層方向に対向することとなる前記ケース本体の内面間の寸法より大きい蓄電装置。
【符号の説明】
【００７４】
Ｆ…寸法、Ｓ１…余剰部寸法、Ｓ２…隅部寸法、Ｒ１…第１の隅部、ｒ…半径、１０…蓄電装置としての二次電池、１２…ケース本体、１２ａ…底壁、１２ｄ…開口部、１２ｅ…内底面、１３…蓋部材、１４…正極電極、１４ｂ，２１ｂ，２４ｂ…底側端縁、１４ｃ，２１ｃ，２４ｃ…側端縁、１６…正極活物質層、１８…タブ群、２１…袋状セパレータ、２２…セパレータ部材、２２ａ…余剰部、２１ｆ，２４ｆ…角部、２３…電極組立体、２４…負極電極、２６…負極活物質層、３７…底面、３８…側面、３９…隙間、４４…偏平面、５３…蓋端子組立体。
【図１】
2018159266.tif 000003
【図２】
2018159266.tif 000004
【図３】
2018159266.tif 000005
【図４】
2018159266.tif 000006
【図５】
2018159266.tif 000007
【図６】
2018159266.tif 000008
【図７】
2018159266.tif 000009
【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
負極活物質層を有する複数の負極電極と、正極活物質層を有する複数の正極電極をセパレータを介して交互に積層し、積層方向から見て、前記正極活物質層が前記負極活物質層の領域内に配置され、かつ前記正極活物質層の全面が前記負極活物質層に対向する電極組立体と、
前記電極組立体を収容するケース本体と、
前記ケース本体の開口部を閉塞する蓋部材と、を備え、
前記電極組立体は、前記負極電極の底側端縁及び前記セパレータの底側端縁により構成され、かつ前記ケース本体の内底面に対向する底面と、前記負極電極の側端縁及び前記セパレータの側端縁により構成され、かつ前記底面及び積層方向両端の偏平面に繋がる一対の側面と、を有し、前記正極電極の底側端縁及び前記側端縁は、前記負極電極の底側端縁及び側端縁よりも積層方向から見て内側に位置しており、
前記ケース本体は、前記電極組立体の底面に対向し、かつ前記内底面を構成する底壁と、前記側面に対向する側壁と、を有し、
前記側壁の内面と前記底壁の内底面との交差部に、前記電極組立体の積層方向から見てアール状の隅部を有している蓄電装置であって、
前記ケース本体の前記内底面に直交する直線の延びる方向を深さ方向とすると、
前記電極組立体の底面と前記ケース本体の内底面とが前記深さ方向に離間した隙間を前記ケース本体内に有し、
前記深さ方向への前記隙間の寸法は、前記隅部の半径の１〜１．５倍であることを特徴とする蓄電装置。
【請求項２】
前記セパレータは前記正極電極を収納した袋状セパレータである請求項１に記載の蓄電装置。
【請求項３】
負極活物質層を有する複数の負極電極と、正極活物質層を有する複数の正極電極をセパレータを介して交互に積層し、積層方向から見て、前記正極活物質層が前記負極活物質層の領域内に配置され、かつ前記正極活物質層の全面が前記負極活物質層に対向する電極組立体と、
前記電極組立体を収容するケース本体と、
前記ケース本体の開口部を閉塞する蓋部材と、を備え、
前記電極組立体は、前記負極電極の底側端縁及び前記セパレータの底側端縁により構成され、かつ前記ケース本体の内底面に対向する底面と、前記負極電極の側端縁及び前記セパレータの側端縁により構成され、かつ前記底面及び積層方向両端の偏平面に繋がる一対の側面と、を有し、前記正極電極の底側端縁及び前記側端縁は、前記負極電極の底側端縁及び側端縁よりも積層方向から見て内側に位置しており、
前記ケース本体は、前記電極組立体の底面に対向し、かつ前記内底面を構成する底壁と、前記側面に対向する側壁と、を有し、
前記側壁の内面と前記底壁の内底面との交差部に、前記電極組立体の積層方向から見てアール状の隅部を有している蓄電装置であって、
前記ケース本体の前記内底面に直交する直線の延びる方向を深さ方向とすると、
前記電極組立体の底面と前記ケース本体の内底面とが前記深さ方向に離間した隙間を前記ケース本体内に有し、
前記セパレータは、前記正極電極の底側端縁及び側端縁から当該セパレータの面方向に沿ってはみ出した余剰部を備え、
前記深さ方向への前記隅部の寸法を隅部寸法とし、前記深さ方向への前記余剰部の寸法を余剰部寸法とすると、
余剰部寸法＜隅部寸法、及び、
隙間の寸法≧隅部寸法−余剰部寸法
が成立している蓄電装置。
【請求項４】
前記セパレータは前記正極電極を収納した袋状セパレータであり、前記底側端縁からはみ出した前記余剰部は、前記正極電極を挟んで対峙する一対のセパレータ部材において前記正極電極の端縁からはみ出した部分のうち、溶着できる部位を前記深さ方向の全体に亘って溶着して形成されている請求項３に記載の蓄電装置。
【請求項５】
前記電極組立体は、前記正極電極の一つの端縁から突出した形状の正極タブが複数積層された正極のタブ群、及び前記負極電極の一つの端縁から突出した形状の負極タブが複数積層された負極のタブ群を有し、前記蓄電装置は、前記蓋部材に固定された各極性の電極端子と、同じ極性のタブ群及び前記電極端子と接合された各極性の導電部材とが一体化された蓋端子組立体を有するとともに、前記蓋端子組立体と前記電極組立体とが、同じ極性の前記導電部材と前記タブ群を接合して一体化されており、前記深さ方向への前記蓋部材の外面から前記電極組立体の底面までの寸法が最小値となる状態で前記蓋部材と前記ケース本体とが接合されている請求項３又は請求項４に記載の蓄電装置。
【請求項６】
前記正極のタブ群及び前記負極のタブ群それぞれは、前記深さ方向に沿って互いに近付く状態に折り曲げられている請求項５に記載の蓄電装置。
【請求項７】
前記余剰部寸法は０．５〜２ｍｍであり、前記隅部寸法は１〜２ｍｍであり、前記隙間の寸法は、０より大きく５ｍｍ以下である請求項３〜請求項６のうちいずれか一項に記載の蓄電装置。
【請求項８】
前記蓄電装置は二次電池である請求項１〜請求項７のうちいずれか一項に記載の蓄電装置。
【請求項９】
負極活物質層を有する複数の負極電極と、正極活物質層を有する複数の正極電極をセパレータを介して交互に積層し、積層方向から見て、前記正極活物質層が前記負極活物質層の領域内に配置され、かつ前記正極活物質層の全面が前記負極活物質層に対向する電極組立体と、
前記電極組立体を収容するケース本体と、
前記ケース本体の開口部を閉塞する蓋部材と、を備え、
前記電極組立体は、前記負極電極の底側端縁及び前記セパレータの底側端縁により構成され、かつ前記ケース本体の内底面に対向する底面と、前記負極電極の側端縁及び前記セパレータの側端縁により構成され、かつ前記底面及び積層方向両端の偏平面に繋がる一対の側面と、を有し、前記正極電極の底側端縁及び前記側端縁は、前記負極電極の底側端縁及び側端縁よりも積層方向から見て内側に位置しており、
前記ケース本体は、前記電極組立体の底面に対向し、かつ前記内底面を構成する底壁と、前記側面に対向する側壁と、を有し、
前記側壁の内面と前記底壁の内底面との交差部に、前記電極組立体の積層方向から見てアール状の隅部を有している蓄電装置の製造方法であって、
前記ケース本体の前記内底面に直交する直線の延びる方向を深さ方向とすると、
前記電極組立体の底面と前記ケース本体の内底面とが、前記隅部の半径の１〜１．５倍の寸法で前記深さ方向に離間した状態で配置されるように、前記電極組立体を前記底面側から前記ケース本体に圧入することを特徴とする蓄電装置の製造方法。
【請求項１０】
負極活物質層を有する複数の負極電極と、正極活物質層を有する複数の正極電極をセパレータを介して交互に積層し、積層方向から見て、前記正極活物質層が前記負極活物質層の領域内に配置され、かつ前記正極活物質層の全面が前記負極活物質層に対向するとともに、前記正極電極の一端縁から突出した形状の正極タブ同士が積層された正極のタブ群、及び前記負極電極の一端縁から突出した形状の負極タブ同士が積層された負極のタブ群を有する電極組立体と、
前記電極組立体を収容するケース本体と、
前記ケース本体の開口部を閉塞する蓋部材と、
前記蓋部材に固定された各極性の電極端子と、
同じ極性のタブ群及び前記電極端子と接合された各極性の導電部材と、を備え、
前記電極組立体は、前記負極電極の底側端縁及び前記セパレータの
底側端縁により構成され、かつ前記ケース本体の内底面に対向する底面と、前記負極電極の側端縁及び前記セパレータの側端縁により構成され、かつ前記底面及び積層方向両端の偏平面に繋がる一対の側面と、を有し、前記正極電極の底側端縁及び前記側端縁は、前記負極電極の底側端縁及び側端縁よりも積層方向から見て内側に位置しており、
前記ケース本体は、前記電極組立体の底面に対向し、かつ前記内底面を構成する底壁と、前記側面に対向する側壁と、を有し、
前記側壁の内面と前記底壁の内底面との交差部に、前記電極組立体の積層方向から見てアール状の隅部を有している蓄電装置の製造方法であって、
前記ケース本体の前記内底面に直交する直線の延びる方向を深さ方向とすると、
前記蓄電装置は、前記電極組立体の底面と前記ケース本体の内底面とが前記深さ方向に離間した隙間を前記ケース本体内に有し、
前記セパレータは、前記正極電極の底側端縁及び側端縁から当該セパレータの面方向に沿ってはみ出した余剰部を備え、
前記深さ方向への前記隅部の寸法を隅部寸法とし、前記深さ方向への前記余剰部の寸法を余剰部寸法とすると、
前記蓋部材と、両極性の前記電極端子と、両極性の前記導電部材とが一体化された蓋端子組立体を製造し、
前記導電部材と前記タブ群とを同じ極性同士で接合して前記蓋端子組立体と前記電極組立体とを一体化し、前記深さ方向に力を加えても、前記深さ方向への前記蓋部材の外面から前記電極組立体の前記底面までの寸法が最小値で変位しない状態で前記電極組立体を前記ケース本体に圧入し、
余剰部寸法＜隅部寸法、及び、隙間の寸法≧隅部寸法−余剰部寸法、が成立するまで前記電極組立体を前記ケース本体に圧入することを特徴とする蓄電装置の製造方法。
【手続補正２】
【補正対象書類名】明細書
【補正対象項目名】０００６
【補正方法】変更
【補正の内容】
【０００６】
上記問題点を解決するための蓄電装置は、負極活物質層を有する複数の負極電極と、正極活物質層を有する複数の正極電極をセパレータを介して交互に積層し、積層方向から見て、前記正極活物質層が前記負極活物質層の領域内に配置され、かつ前記正極活物質層の全面が前記負極活物質層に対向する電極組立体と、前記電極組立体を収容するケース本体と、前記ケース本体の開口部を閉塞する蓋部材と、を備え、前記電極組立体は、前記負極電極の底側端縁及び前記セパレータの底側端縁により構成され、かつ前記ケース本体の内底面に対向する底面と、前記負極電極の側端縁及び前記セパレータの側端縁により構成され、かつ前記底面及び積層方向両端の偏平面に繋がる一対の側面と、を有し、前記正極電極の底側端縁及び前記側端縁は、前記負極電極の底側端縁及び側端縁よりも積層方向から見て内側に位置しており、前記ケース本体は、前記電極組立体の底面に対向し、かつ前記内底面を構成する底壁と、前記側面に対向する側壁と、を有し、前記側壁の内面と前記底壁の内底面との交差部に、前記電極組立体の積層方向から見てアール状の隅部を有している蓄電装置であって、前記ケース本体の前記内底面に直交する直線の延びる方向を深さ方向とすると、前記電極組立体の底面と前記ケース本体の内底面とが前記深さ方向に離間した隙間を前記ケース本体内に有し、前記深さ方向への前記隙間の寸法は、前記隅部の半径の１〜１．５倍であることを要旨とする。
【手続補正３】
【補正対象書類名】明細書
【補正対象項目名】０００７
【補正方法】変更
【補正の内容】
【０００７】
上記問題点を解決するための蓄電装置の製造方法は、負極活物質層を有する複数の負極電極と、正極活物質層を有する複数の正極電極をセパレータを介して交互に積層し、積層方向から見て、前記正極活物質層が前記負極活物質層の領域内に配置され、かつ前記正極活物質層の全面が前記負極活物質層に対向する電極組立体と、前記電極組立体を収容するケース本体と、前記ケース本体の開口部を閉塞する蓋部材と、を備え、前記電極組立体は、前記負極電極の底側端縁及び前記セパレータの底側端縁により構成され、かつ前記ケース本体の内底面に対向する底面と、前記負極電極の側端縁及び前記セパレータの側端縁により構成され、かつ前記底面及び積層方向両端の偏平面に繋がる一対の側面と、を有し、前記正極電極の底側端縁及び前記側端縁は、前記負極電極の底側端縁及び側端縁よりも積層方向から見て内側に位置しており、前記ケース本体は、前記電極組立体の底面に対向し、かつ前記内底面を構成する底壁と、前記側面に対向する側壁と、を有し、前記側壁の内面と前記底壁の内底面との交差部に、前記電極組立体の積層方向から見てアール状の隅部を有している蓄電装置の製造方法であって、前記ケース本体の前記内底面に直交する直線の延びる方向を深さ方向とすると、前記電極組立体の底面と前記ケース本体の内底面とが、前記隅部の半径の１〜１．５倍の寸法で前記深さ方向に離間した状態で配置されるように、前記電極組立体を前記底面側から前記ケース本体に圧入することを要旨とする。
【手続補正４】
【補正対象書類名】明細書
【補正対象項目名】００１２
【補正方法】変更
【補正の内容】
【００１２】
上記問題点を解決するための蓄電装置は、負極活物質層を有する複数の負極電極と、正極活物質層を有する複数の正極電極をセパレータを介して交互に積層し、積層方向から見て、前記正極活物質層が前記負極活物質層の領域内に配置され、かつ前記正極活物質層の全面が前記負極活物質層に対向する電極組立体と、前記電極組立体を収容するケース本体と、前記ケース本体の開口部を閉塞する蓋部材と、を備え、前記電極組立体は、前記負極電極の底側端縁及び前記セパレータの底側端縁により構成され、かつ前記ケース本体の内底面に対向する底面と、前記負極電極の側端縁及び前記セパレータの側端縁により構成され、かつ前記底面及び積層方向両端の偏平面に繋がる一対の側面と、を有し、前記正極電極の底側端縁及び前記側端縁は、前記負極電極の底側端縁及び側端縁よりも積層方向から見て内側に位置しており、前記ケース本体は、前記電極組立体の底面に対向し、かつ前記内底面を構成する底壁と、前記側面に対向する側壁と、を有し、前記側壁の内面と前記底壁の内底面との交差部に、前記電極組立体の積層方向から見てアール状の隅部を有している蓄電装置であって、前記ケース本体の前記内底面に直交する直線の延びる方向を深さ方向とすると、前記電極組立体の底面と前記ケース本体の内底面とが前記深さ方向に離間した隙間を前記ケース本体内に有し、前記セパレータは、前記正極電極の底側端縁及び側端縁から当該セパレータの面方向に沿ってはみ出した余剰部を備え、前記深さ方向への前記隅部の寸法を隅部寸法とし、前記深さ方向への前記余剰部の寸法を余剰部寸法とすると、余剰部寸法＜隅部寸法、及び、隙間の寸法≧隅部寸法−余剰部寸法が成立していることを要旨とする。
【手続補正５】
【補正対象書類名】明細書
【補正対象項目名】００１３
【補正方法】変更
【補正の内容】
【００１３】
上記問題点を解決するための蓄電装置の製造方法は、負極活物質層を有する複数の負極電極と、正極活物質層を有する複数の正極電極をセパレータを介して交互に積層し、積層方向から見て、前記正極活物質層が前記負極活物質層の領域内に配置され、かつ前記正極活物質層の全面が前記負極活物質層に対向するとともに、前記正極電極の一端縁から突出した形状の正極タブ同士が積層された正極のタブ群、及び前記負極電極の一端縁から突出した形状の負極タブ同士が積層された負極のタブ群を有する電極組立体と、前記電極組立体を収容するケース本体と、前記ケース本体の開口部を閉塞する蓋部材と、前記蓋部材に固定された各極性の電極端子と、同じ極性のタブ群及び前記電極端子と接合された各極性の導電部材と、を備え、前記電極組立体は、前記負極電極の底側端縁及び前記セパレータの底側端縁により構成され、かつ前記ケース本体の内底面に対向する底面と、前記負極電極の側端縁及び前記セパレータの側端縁により構成され、かつ前記底面及び積層方向両端の偏平面に繋がる一対の側面と、を有し、前記正極電極の底側端縁及び前記側端縁は、前記負極電極の底側端縁及び側端縁よりも積層方向から見て内側に位置しており、前記ケース本体は、前記電極組立体の底面に対向し、かつ前記内底面を構成する底壁と、前記側面に対向する側壁と、を有し、前記側壁の内面と前記底壁の内底面との交差部に、前記電極組立体の積層方向から見てアール状の隅部を有している蓄電装置の製造方法であって、前記ケース本体の前記内底面に直交する直線の延びる方向を深さ方向とすると、前記蓄電装置は、前記電極組立体の底面と前記ケース本体の内底面とが前記深さ方向に離間した隙間を前記ケース本体内に有し、前記セパレータは、前記正極電極の底側端縁及び側端縁から当該セパレータの面方向に沿ってはみ出した余剰部を備え、前記深さ方向への前記隅部の寸法を隅部寸法とし、前記深さ方向への前記余剰部の寸法を余剰部寸法とすると、前記蓋部材と、両極性の前記電極端子と、両極性の前記導電部材とが一体化された蓋端子組立体を製造し、前記導電部材と前記タブ群とを同じ極性同士で接合して前記蓋端子組立体と前記電極組立体とを一体化し、前記深さ方向に力を加えても、前記深さ方向への前記蓋部材の外面から前記電極組立体の前記底面までの寸法が最小値で変位しない状態で前記電極組立体を前記ケース本体に圧入し、余剰部寸法＜隅部寸法、及び、隙間の寸法≧隅部寸法−余剰部寸法が成立するまで前記電極組立体を前記ケース本体に圧入することを要旨とする。
【国際調査報告】
2018159266.tif 000010
2018159266.tif 000011
2018159266.tif 000012
2018159266.tif 000013